(57)【要約】      （修正有）【課題】冷蔵庫本体に移動可能に設けられる可動部品に機能部品を備える場合であっても、当該機能部品に電力を供給することができる冷蔵庫を提供する。【解決手段】冷蔵庫本体１０と、冷蔵庫本体１０に移動可能に設けられた可動部品１９と、可動部品１９に設けられた蓄電部６１と、可動部品１９に設けられ、蓄電部６１から供給される電力により動作する機能部品６２と、を備える冷蔵庫において、冷蔵庫本体１０に設けられた給電側接続部と、可動部品１９に設けられた受電側接続部６３とを備え、受電側接続部６３は給電側接続部に磁気吸着により電気接続され、蓄電部６１に電力を給電する。【選択図】図３
2018044687.tif 000002
【特許請求の範囲】
【請求項１】
冷蔵庫本体と、
前記冷蔵庫本体に移動可能に設けられた可動部品と、
前記可動部品に設けられた蓄電部と、
前記可動部品に設けられ、前記蓄電部から供給される電力により動作する機能部品と、を備える冷蔵庫において、
前記冷蔵庫本体に設けられた給電側接続部と、前記可動部品に設けられた受電側接続部とを備え、
前記受電側接続部は、前記給電側接続部に磁気吸着により電気接続され、前記蓄電部に電力を給電する冷蔵庫。
【請求項２】
前記可動部品は、前記冷蔵庫本体に設けられた固定レールを第１方向に摺動する移動レールを備え、
前記給電側接続部は、前記冷蔵庫本体に設けられた第１方向に凹んだ第１凹部内に配置され、
前記第１凹部の開口部における第１方向に対して垂直な第２方向の寸法と前記受電側接続部の第２方向の寸法の差が、前記固定レールと前記移動レールとの間に設けられた第２方向のクリアランス量より大きい請求項１に記載の冷蔵庫。
【請求項３】
前記第１凹部は第２方向に対向する側壁が底部に向かうほど間隔が狭くなるように傾斜している請求項２に記載の冷蔵庫。
【請求項４】
前記機能部品は、冷蔵庫本体内部を照明するＬＥＤであり、
前記蓄電部が、前記ＬＥＤより大きい請求項１〜３のいずれか１項に記載の冷蔵庫。
【請求項５】
前記可動部品は、収納容器であり、
前記収納容器の外側に前記蓄電部が設けられている請求項１〜４のいずれか１項に記載の冷蔵庫。
【請求項６】
前記冷蔵庫本体が前記蓄電部を収納する第２凹部を備える請求項１〜５のいずれか１項に記載の冷蔵庫。
【請求項７】
前記可動部品が、冷蔵室に前後方向に引き出し可能に設けられたチルド容器であって、
前記機能部品が、前記チルド容器内を照明する照明装置であって、
前記照明装置が、前記チルド容器の後部に設けられている請求項１〜６のいずれか１項に記載の冷蔵庫。
【発明の詳細な説明】
【技術分野】
【０００１】
本発明の実施形態は、冷蔵庫に関するものである。
【背景技術】
【０００２】
近年、冷蔵庫では、冷蔵庫本体に移動可能に設けられる可動部品、例えば、収納容器や扉や棚などといった部品に、照明装置など機能部品を設けることが求められている（例えば、下記特許文献１参照）。しかし、このような可動部品は、冷蔵庫本体に対して移動するものであることから、当該可動部品に備えられる機能部品に有線により電力を供給することは難しい。
【先行技術文献】
【特許文献】
【０００３】
【特許文献１】特開２００８−２０１２１号公報
【発明の概要】
【発明が解決しようとする課題】
【０００４】
本実施形態は、冷蔵庫本体に移動可能に設けられる可動部品に機能部品を備える場合であっても、当該機能部品に電力を供給することができる冷蔵庫を提供する。
【課題を解決するための手段】
【０００５】
本実施形態の冷蔵庫は、冷蔵庫本体と、前記冷蔵庫本体に移動可能に設けられた可動部品と、前記可動部品に設けられた蓄電部と、前記可動部品に設けられ、前記蓄電部から供給される電力により動作する機能部品と、を備える冷蔵庫において、前記冷蔵庫本体に設けられた給電側接続部と、前記可動部品に設けられた受電側接続部とを備え、前記受電側接続部は、前記給電側接続部に磁気吸着により電気接続され、前記蓄電部に電力を給電する。
【図面の簡単な説明】
【０００６】
【図１】第１実施形態に係る冷蔵庫の断面図
【図２】図１の要部拡大図
【図３】図２のＡ−Ａ断面図
【図４】給電側接続部と受電側接続部の拡大断面図
【図５】図１の冷蔵庫の電気構成を示すブロック図
【発明を実施するための形態】
【０００７】
以下、図面に基づいて本発明の一実施形態について説明する。
【０００８】
本実施形態に係る冷蔵庫１は、図１に示すように、前面に開口する断熱箱体２を備える。断熱箱体２は、鋼板製の外箱３と合成樹脂製の内箱４との間に形成された断熱空間に真空断熱材や発泡断熱材等の断熱材５を有して構成されている。内箱４の内側には、内部空間を複数の貯蔵空間に区画するダクト板６，７、仕切板８，９、縦仕切壁１７及び断熱仕切壁２３が設けられている。ダクト板６，７、仕切板８，９、縦仕切壁１７及び断熱仕切壁２３は断熱箱体２とともに冷蔵庫本体１０を構成する。
【０００９】
冷蔵庫本体１０の内部には、上段から順に、冷蔵室１１、野菜室１２が設けられ、その下方に製氷室１３と小冷凍室（不図示）が左右に並べて設けられ、これらの下方に冷凍室１５が設けられている。
【００１０】
冷蔵室１１及び野菜室１２は、いずれも冷蔵温度帯（例えば、１〜４℃）に冷却される貯蔵室であり、それらの間は、合成樹脂製の仕切板８により上下に仕切られている。冷蔵室１１の前面開口部には、ヒンジで枢支された回動式の断熱扉１１ａが設けられている。
【００１１】
冷蔵室１１内は、複数の棚板１６によって上下に複数段に区画されている。仕切板８と最下段の棚板１６とで上下に仕切られた空間は、冷蔵室１１の一方側壁（左側壁）に寄せて配設された縦仕切壁１７によって冷蔵庫幅方向に区画されている（図３参照）。冷蔵室１１の右側壁１１ｂと縦仕切壁１７に挟まれた空間には、製氷室１３に設けられた自動製氷機１３ｃに供給する製氷用の水を貯留する貯水タンク１８が設けられている。縦仕切壁１７と冷蔵室１１の他方側壁（右側壁）に挟まれた空間には、引出式のチルド容器１９を収納するチルド室２０が設けられている。
【００１２】
野菜室１２の前面開口部には、引出し式の断熱扉１２ａが設けられている。この断熱扉１２ａの背面部には、貯蔵品を収納する上下２段の収納容器１２ｂが連結されている。
連結されている。これにより、断熱扉１２ａの開扉動作とともに収納容器１２ｂが庫外に引き出されるように構成されている。
【００１３】
野菜室１２の下方は、内部に断熱材が設けられた断熱仕切壁２３により仕切られており、断熱仕切壁２３の下方に製氷室１３及び小冷凍室が設けられている。
【００１４】
製氷室１３、小冷凍室及び冷凍室１５は、いずれも冷凍温度帯（例えば、−１０〜−２０℃）に冷却される。製氷室１３、小冷凍室及び冷凍室１５の前面開口部には、引出し式の断熱扉１３ａ、１５ａが設けられており、各断熱扉１３ａ、１５ａの背面部に収納容器１３ｂ、１５ｂが連結されている。これにより、各断熱扉１３ａ、１５ａの開扉動作とともに収納容器１３ｂ、１５ｂが庫外に引き出されるように構成されている。
【００１５】
冷蔵温度帯の貯蔵室（冷蔵室１１及び野菜室１２）の背面は、ダクト板６によって仕切られている。ダクト板６の後方には、断熱箱体２の後壁との間に冷蔵冷却器２５及び冷蔵ファン２６を収納する冷蔵冷却器室２７と、冷蔵室１１及び冷蔵冷却器室２７を連結するダクト２８とが形成されている。ダクト２８は、冷蔵冷却器室２７から冷蔵室１１の背面に沿って上方に延びており、その前部に冷蔵室１１内に開口する吹出口２８ａが上下方向に間隔をあけて複数設けられている。
【００１６】
冷凍温度帯の貯蔵室（製氷室１３、小冷凍室、冷凍室１５）の背面は、ダクト板７によって仕切られている。ダクト板７の後方には、断熱箱体２の後壁との間に冷凍冷却器２９及び冷凍ファン３０を収納する冷凍冷却器室３１と冷凍温度帯の貯蔵室１３，１５を連結するダクト３２とが形成されている。
【００１７】
冷蔵冷却器２５及び冷凍冷却器２９は、断熱箱体２の背面下部に形成された機械室３３に収納された圧縮機３４や凝縮器３５とともに冷凍サイクルを構成する。冷凍サイクルでは、不図示の切替弁によって圧縮機３４から吐出された冷媒が冷蔵冷却器２５及び冷凍冷却器２９に供給されることで所定温度に冷却される。
【００１８】
そして、冷蔵冷却器２５は、冷蔵冷却器室２７の空気を冷却して、例えば、−１０〜−２０℃の冷気を生成し、これを冷蔵ファン２６の回転によってダクト２８を介して吹出口２８ａから冷蔵室１１及びチルド室２０内部へ供給し、これらの空間を冷却する。冷蔵室１１及びチルド室２０内部を流れた空気の一部は、仕切板８に設けられた吸込口８ａからリターンダクト３６に流れ込み冷蔵冷却器室２７へ戻り、残りの空気は仕切板８に設けられた不図示の透孔を通って野菜室１２へ流れ込み野菜室１２を冷却した後、野菜室１２の背面に設けられた吸込口３７からリターンダクト３６に流れ込み冷蔵冷却器室２７へ戻る。
【００１９】
冷凍冷却器２９は、冷凍冷却器室３１の空気を冷却して、例えば、−２０〜−３０℃の冷気を生成し、これを冷凍ファン３０の回転によってダクト３２を介して製氷室１３、小冷凍室及び冷凍室１５に供給する。製氷室１３、小冷凍室及び冷凍室１５に供給された冷気は、これらの貯蔵室を冷却しながら流れ、冷凍室１５の背面に設けられた吸込口３８から冷凍冷却器室３１に戻り冷却される。
【００２０】
このような構成の冷蔵庫１は、チルド室２０に設けられたチルド容器１９を、冷蔵庫本体１０に対して移動可能に設けられた可動部品の一例として備えている。
【００２１】
具体的には、チルド室２０は、図２及び図３に示すように、最下段の棚板１６と、貯水タンク１８との境界に設けられた縦仕切壁１７と、冷蔵室１１の右側壁１１ｂと、冷蔵室１１の背面を構成しているダクト板６と、冷蔵室１１の底面を構成している仕切体８により囲まれた空間である。
【００２２】
チルド室２０に設けられたチルド容器１９は、前方壁、後方壁、左右側壁によって囲まれた上方に開口する有底の略直方体状をなしている。チルド容器１９の上面に設けられた上面開口部は、内部に貯蔵品を出し入れするための開口部であって、チルド容器１９をチルド室２０内に収納すると最下段の棚板１６によって閉塞される。
【００２３】
チルド容器１９の左右側壁の外側には、前後方向に延びる左右一対の移動レール４０、４０が突出している。左右一対の移動レール４０、４０は、縦仕切壁１７及び冷蔵室１１の右側壁１１ｂからチルド室２０へ突出する前後方向に延びる突条をなした固定レール４２，４２に支持されている。移動レール４０、４０は、固定レール４２，４２の上面を前後方向に摺動することで、チルド容器１９をチルド室２０から前方及び後方（以下、この方向を第１方向ということもある）に引き出し可能に構成している。
【００２４】
移動レール４０、４０と固定レール４２，４２との間には、チルド容器１９が摺動する第１方向に垂直な方向、例えば、冷蔵庫幅方向（以下、この方向を第２方向ということもある）へのチルド容器１９の若干の移動を許容するクリアランスが設けられている。
【００２５】
また、チルド容器１９の後方壁１９ａには、蓄電部６１、ＬＥＤ６２、受電側接続部６３及び回路基板６４を備えた照明装置６０が設けられている。
【００２６】
蓄電部６１は、電気二重層コンデンサ等のコンデンサや蓄電池等から構成され、外部より供給された電力を蓄電し、蓄電した電力をＬＥＤ６２に供給する。蓄電部６１は、ＬＥＤ６２より体積が大きく、チルド容器１９の後方壁１９ａの外側（後側）に取り付けられた回路基板６４の後側に実装されている。
【００２７】
ＬＥＤ６２は、蓄電部６１から供給される電力により動作する機能部品である。ＬＥＤ６２は、チルド容器１９の後方壁１９ａを貫通するコンタクトホール１９ｂを介して後方壁１９ａの前側に設けられており、チルド容器１９内部を後方より照明する。
【００２８】
回路基板６４は、チルド容器１９の後方壁１９ａの外方（後方）に設けられ、回路基板６４の後側に蓄電部６１、受電側接続部６３及び不図示の照明制御部が実装され、回路基板６４の前側にＬＥＤ６２が実装されている。照明制御部は、例えば、冷蔵庫扉１１ａの開扉時にＬＥＤ６２を点灯させたり、チルド容器１９が前方に引き出された時にＬＥＤ６２を点灯させる。
【００２９】
受電側接続部６３は、図４に示すように、チルド容器１９がチルド室２０内に収納されるとダクト板６に設けられた給電側接続部６５に磁気吸着により電気接続され、冷蔵庫本体１０より蓄電部６１に電力を供給する。受電側接続部６３は、チルド容器１９の後方壁１９ａの外側（後側）に取り付けられた回路基板６４の後側に実装されている。
【００３０】
具体的には、受電側接続部６３は、プラグケース６６の内部に収納されたマグネット組体６７と一対の電極体６８とを備える。プラグケース６６の後面には、マグネット組体６７の一部を突出させる一対のスリット６９，６９と、このスリット６９，６９の両側に電極体６８を臨む一対の差込孔７０，７０が形成されている。
【００３１】
マグネット組体６７は、矩形板状の永久磁石６７ａと、それを挟む一対の強磁性体の金属板６７ｂ、６７ｂとを備える。金属板６７ｂ、６７ｂの前後方向の長さは、永久磁石６７ａより大きく設定されており、金属板６７ｂ，６７ｂの先端部がプラグケース６６に設けられたスリット６９，６９を通ってプラグケース６６の外部へ若干突出している。
【００３２】
電極体６８は、導電性の金属板を所定形状に折り曲げて形成された導体からなる。電極体６８の後端部は、プラグケース６６に設けられた差込孔７０、７０と前後に対向する接点６８ａ，６８ａを構成している。電極体６８の前端部は、回路基板６４を介して蓄電部６１に電気的に接続されている。
【００３３】
チルド室２０の背面を構成するダクト板６には、チルド容器１９の後方壁１９ａに設けられた受電側接続部６３と前後方向に対向する位置に後方（第１方向）に凹んだ第１凹部７１が設けられ、蓄電部６１と前後方向に対向する位置に後方へ凹んだ第２凹部７２が設けられている。
【００３４】
第１凹部７１は、後方（第１方向）に向かうほど冷蔵庫幅方向（第２方向）の寸法が漸次小さくなる、つまり、後方（第１方向）に向かうほど冷蔵庫幅方向（第２方向）に対向する側壁が狭くなるように傾斜している。また、この例では、第１凹部７１は、第１方向及び第２方向に直交する方向（上下方向）に対向する側壁も、後方（第１方向）に向かうほど漸次間隔が狭くなるように傾斜している。
【００３５】
第１凹部７１の開口部における第２方向の長さ（言い換えれば、開口部における第２方向に対向する側壁の間隔）Ｘと、プラグケース６６の第２方向の長さＹとの差δ（＝Ｘ−Ｙ）は、移動レール４０、４０と固定レール４２，４２との間に形成されたクリアランスによってチルド容器１９が冷蔵庫幅方向（第２方向）へ移動可能なクリアランス量（移動量）より大きく設定されている。
【００３６】
第１凹部７１の底部には、吸着板７３と吸着板７３の両側から突出する一対の電極ピン７４，７４とが設けられており、第１凹部７１内に給電側接続部６５が配置されている。吸着板７３は、板状の強磁性体からなり、受電側接続部６３に設けられたマグネット組体６７の金属板６７ｂを磁気吸着する。電極ピン７４，７４には、電源線を介して冷蔵庫本体１０に設けられた電源部７５（図５参照）に接続されている。
【００３７】
図３に示すようにチルド容器１９がチルド室２０に収納されると、一対の電極ピン７４，７４が、受電側接続部６３のプラグケース６６に設けられた差込孔７０，７０に挿入され電極体６８の接点６８ａに接触するとともに、マグネット組体６７の金属板６７ｂが吸着板７３に吸着して電気的な接続状態が維持されるようになっている。一対の電極ピン７４，７４が電極体６８の接点６８ａに接触すると、冷蔵庫本体１０に設けられた電源部７５と蓄電部６１とが電気的に接続され、電源部７５から出力される電力が蓄電部６１に供給され、蓄電部６１に蓄えられる。
【００３８】
また、チルド容器１９がチルド室２０に収納されると、チルド容器１９の後方壁１９ａに突出する蓄電部６１は、ダクト板６に接触することなく第２凹部７２内に収納される。
【００３９】
本実施形態の冷蔵庫１では、冷蔵庫本体１０に対して移動可能に設けられたチルド容器１９が照明装置６０を備える場合であっても、冷蔵庫本体１０に設けられた給電側接続部６５からチルド容器１９に設けられた受電側接続部６３を介して蓄電部６１へ電力を給電することができる。
【００４０】
しかも、受電側接続部６３及び給電側接続部６５は、マグネット組体６７及び吸着板７３を備えるため、移動によりチルド容器１９の位置にばらつきが生じやすい場合であっても、マグネット組体６７及び吸着板７３との間に発生する磁気吸着力によって電気的に接続される。
【００４１】
また、本実施形態では、給電側接続部６５が設けられた第1凹部７１の開口部における第２方向の長さＸと、プラグケース６６の冷蔵庫幅方向の長さＹとの差δが、移動レール４０、４０と固定レール４２，４２との間に形成されたクリアランス量より大きく設定されている。そのため、前方に引き出されたチルド容器１９をチルド室２０へ収納する際に、移動レール４０、４０と固定レール４２，４２との間に形成されたクリアランスによってチルド容器１９の位置が第２方向にずれても、チルド容器１９に設けられた受電側接続部６３が第１凹部７１の開口部の内側に位置することなり、マグネット組体６７及び吸着板７３との間で大きな磁気吸着力が発生しやすくなり、受電側接続部６３及び給電側接続部６５をより確実に電気的に接続することができる。
【００４２】
しかも、本実施形態において第１凹部７１は、冷蔵庫幅方向に対向する側壁が後方に向かうほど間隔が狭くなるように傾斜しているため、チルド容器１９が後方へ移動する際に、給電側接続部６５のプラグケース６６が、吸着板７３及び電極ピン７４が設けられた第１凹部７１の底部へ、第１凹部７１の側壁にガイドされるため、受電側接続部６３及び給電側接続部６５を確実かつスムーズに電気的に接続することができる。
【００４３】
また、本実施形態において照明装置６０は、チルド容器１９の後方壁１９ａに設けられ、後方よりチルド容器１９内を照明するため、冷蔵室１１に設けられた庫内灯や庫外からの光が届きにくく死角となりやすいチルド容器１９の後方を効果的に照明することができ、ユーザの視認性を向上させることができる。なお、本実施形態では、照明装置６０のＬＥＤ６２をチルド容器１９の後方壁１９ａに設けたが、チルド容器１９の前後方向中央部より後側に設けても、死角となりやすいチルド容器１９の後方を効果的に照明することができる。
【００４４】
本実施形態では、可動部品としてチルド容器１９を備える場合について説明したが、チルド容器１９以外にも、例えば、扉１１ａ，１２ａ，１３ａ，１５ａや、棚板１６や、自動製氷機１３ｃや、収納容器１２ｂ〜１５ｂや、貯水タンク１８等、可動部品は冷蔵庫本体１０に対して移動可能に設けられていれば良い。
【００４５】
また、本実施形態では、機能部品として照明装置６０のＬＥＤ６２を備える場合について説明したが、ＬＥＤ６２以外にも、例えば、冷蔵庫１の運転を設定する操作パネルや、運転状況を表示する表示部や、庫内を撮影する撮影装置や、庫内を脱臭あるいは除菌する脱臭除菌装置など、電力により動作する可動部品に設けられた部品であれば良い。
【００４６】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４７】
１…冷蔵庫、２…断熱箱体、３…外箱、４…内箱、５…断熱材、６…ダクト板、７…ダクト板、８…仕切板、９…仕切板、８ａ…吸込口、１０…冷蔵庫本体、１１…冷蔵室、１１ｂ…右側壁、１７…縦仕切壁、１８…貯水タンク、１９…チルド容器（可動部品）、１９ａ…後方壁、１９ｂ…コンタクトホール、２０…チルド室、２３…断熱仕切壁、４０…移動レール、４２…固定レール、６０…照明装置、６１…蓄電部、６２…ＬＥＤ（機能部品）、６３…受電側接続部、６４…回路基板、６５…給電側接続部、６６…プラグケース、６７…マグネット組体、６７ａ…永久磁石、６７ｂ…金属板、６８…電極体、６８ａ…接点、６９…スリット、７０…差込孔、７１…第１凹部、７２…第２凹部、７３…吸着板、７４…電極ピン
【図１】
2018044687.tif 000003
【図２】
2018044687.tif 000004
【図３】
2018044687.tif 000005
【図４】
2018044687.tif 000006
【図５】
2018044687.tif 000007